(57)【要約】【課題】本発明は、プレハブ構造体の内部に容易に設置することが可能な水廻り空間を設けることができる水廻りユニットルームおよび水廻りユニットルームを備えるプレハブ構造体を提供することを目的とする。【解決手段】水廻り空間を備えた水廻りユニットルームは、プレハブ構造体の内部に設けられ、プレハブ構造体の外壁面に対向して配置される水廻りユニットルームの側壁外面に水廻り器具からの内部配管の接続端部が外壁面に向かって所定距離だけ突出するよう配設され、接続端部が外部配管と接続されるように側壁外面における所定領域に配設されている。【選択図】図２
2020165279.tif 000002
【特許請求の範囲】
【請求項１】
プレハブ構造体の内部に設けられ、水廻り空間を備えた水廻りユニットルームであって、
前記プレハブ構造体において室内と室外とを区分けする外壁面に対向して配置される前記水廻りユニットルームの側壁外面に水廻り器具からの内部配管の接続端部が前記外壁面に向かって突出するよう配設され、前記接続端部が外部配管と接続されるように前記側壁外面における所定領域に配設された、水廻りユニットルーム。
【請求項２】
前記内部配管の前記接続端部は、前記プレハブ構造体の前記外壁面に向かって前記水廻りユニットルームの側壁外面から所定長さだけ突出するよう構成された、請求項１に記載の水廻りユニットルーム。
【請求項３】
前記内部配管の前記接続端部は、前記外部配管と接続するための配管継手を備えた、請求項１または２に記載の水廻りユニットルーム。
【請求項４】
複数の水廻り器具からの前記内部配管の前記接続端部のそれぞれは、同一方向に並行に突出するよう構成された、請求項１または２に記載の水廻りユニットルーム。
【請求項５】
複数の水廻り器具からの前記内部配管の前記接続端部は、前記水廻りユニットルームの前記側壁外面において集中的に配設された、請求項１または２に記載の水廻りユニットルーム。
【請求項６】
前記内部配管の前記接続端部が配設された前記側壁外面の裏面側となる前記水廻りユニットルームの内面側には、水廻り器具が配設された、請求項１または２に記載の水廻りユニットルーム。
【請求項７】
前記プレハブ構造体の内面に近接して配設される水廻りユニットルームにおいて、前記プレハブ構造体の内面に近接して配置される側壁外面にスペーサが設けられた、請求項１から６のいずれか一項に記載の水廻りユニットルーム。
【請求項８】
ユニットハウスで構成され、前記ユニットハウスの内部に水廻り空間を備えた水廻りユニットルームが設けられたプレハブ構造体であって、
前記ユニットハウスにおいて室内と室外とを区分けする外壁面に対向して配置される前記水廻りユニットルームの側壁外面に水廻り器具からの内部配管の接続端部が前記外壁面に向かって突出するよう配設され、
前記接続端部が外部配管と接続されるように前記側壁外面における所定領域に配設され、
前記内部配管の前記接続端部が配設された前記側壁外面の所定領域が、前記プレハブ構造体の前記外壁面に形成された開口と対向するように配置される、プレハブ構造体。
【請求項９】
複数の水廻り器具からの前記内部配管の前記接続端部のそれぞれは、同一方向に平行に突出するよう構成された、請求項８に記載のプレハブ構造体。
【請求項１０】
複数の水廻り器具からの前記内部配管の前記接続端部は、前記水廻りユニットルームの前記側壁外面において集中的に配設され、前記外壁面の開口の内側となるよう配設された、請求項８または９に記載のプレハブ構造体。
【請求項１１】
前記内部配管と前記外部配管とを接続する接続配管が貫通した前記開口において、前記接続配管により占有されない開口部分が封止部材により封止されるように構成された、請求項８または９に記載のプレハブ構造体。
【請求項１２】
前記ユニットハウスの内面に近接して配設される水廻りユニットルームにおいて、前記ユニットハウスの内面に近接して配置される側壁外面に所定隙間を形成するためのスペーサが設けられ、
前記スペーサが前記ユニットハウスの内面に当接するよう構成された、請求項８から１１のいずれか一項に記載のプレハブ構造体。
【発明の詳細な説明】
【技術分野】
【０００１】
本発明は、シャワールーム、トイレルーム、洗面ルームなどを備える水廻りユニットルームおよび水廻りユニットルームを備えるプレハブ構造体に関し、特に工事現場などに設置されるプレハブ構造体の内部に据え付けられる水廻りユニットルームに関する。
【背景技術】
【０００２】
工事現場などに設置されるプレハブ構造体は、建築工程の大部分を工場で予め生産し、現場において組み立て設置される構造を有している。プレハブ構造体は、ユニット化された部屋（ユニットハウス）を現場状況に応じて組み合わせて設置する構成である。ユニットハウスの基本は規格化されたボックスフレームの構造にパネルを取り付けて構成され、ボックスフレームを組み合わせることにより様々な建築空間を形成することができる。ボックスフレームには壁、窓、ドアなどの各種パネルが取り付けられる構成であり、品質が一定化した所望のプレハブ構造体を短期間で完成させることができるというメリットを有する。また、プレハブ構造体は、建築が容易であり、短期間に建築できるというメリットの他に、解体した後に組み立てて再使用できるというメリットを有している。
【発明の概要】
【発明が解決しようとする課題】
【０００３】
工事現場においては、シャワールーム、トイレルーム、洗面ルームなどのウエット空間である水廻り空間が、プレハブ構造体とは別の場所に設置されるのが一般的である。しかしながら、現場で働く人にとっては、仕事場や居住空間となるプレハブ構造体の内部に水廻り空間が存在しないことは不便であり、労働環境としても好ましいものではなかった。また、プレハブ構造体は、再使用できるというメリットを有しているため、水廻り空間においても再使用できる構成が経済上においても好ましいものとなる。
【０００４】
なお、本発明において、水廻り空間とは、水を使用するウエット空間を示すものであり、シャワールーム、トイレルーム、洗面ルーム、キッチンルームなどを含むものである。また、水廻り器具とは水を使用する器具であり、水栓器具、洗面器具、シャワー器具、トイレ器具、キッチン器具などが含まれる。
【０００５】
本発明においては、プレハブ構造体の内部に容易に設置することが可能なシャワールーム、トイレルーム、洗面ルームなどの水廻り空間を設けることができる水廻りユニットルーム、およびこの水廻りユニットルームを備えるプレハブ構造体の提供を目的とする。
【課題を解決するための手段】
【０００６】
本発明に係る一態様の水廻りユニットルームは、
プレハブ構造体の内部に設けられ、水廻り空間を備えた水廻りユニットルームであって、
前記プレハブ構造体において室内と室外とを区分けする外壁面に対向して配置される前記水廻りユニットルームの側壁外面に水廻り器具からの内部配管の接続端部が前記外壁面に向かって突出するよう配設され、前記接続端部が外部配管と接続されるように前記側壁外面における所定領域に配設されている。
【０００７】
本発明に係る一態様のプレハブ構造体は、
ユニットハウスで構成され、前記ユニットハウスの内部に水廻り空間を備えた水廻りユニットルームが設けられたプレハブ構造体であって、
前記ユニットハウスにおいて室内と室外とを区分けする外壁面に対向して配置される前記水廻りユニットルームの側壁外面に水廻り器具からの内部配管の接続端部が前記外壁面に向かって突出するよう配設され、
前記接続端部が外部配管と接続されるように前記側壁外面における所定領域に配設され、
前記内部配管の前記接続端部が配設された前記側壁外面の所定領域が、前記プレハブ構造体の前記外壁面に形成された開口と対向するように配置されている。
【発明の効果】
【０００８】
本発明によれば、プレハブ構造体の内部において、容易に設置し、解体することが可能なシャワールーム、トイレルーム、洗面ルームなどの水廻り空間を設けた水廻りユニットルーム、およびこの水廻りユニットルームを備えるプレハブ構造体を提供することができる。
【図面の簡単な説明】
【０００９】
【図１】本発明に係る実施の形態１の水廻りユニットルームが設けられたプレハブ構造体の一例を示す斜視図
【図２】実施の形態１の水廻りユニットルームがプレハブ構造体のユニットハウスの内部に設置された構成を模式的に示す斜視図
【図３】実施の形態１の水廻りユニットルームの正面側を主として見た斜視図
【図４】実施の形態１の水廻りユニットルームの背面側を主として示す斜視図
【図５】並設された複数のユニットハウスを有するプレハブ構造体において、ユニットハウスに対して水廻りユニットルームを設置する場合の構成を模式的に示す平面図
【図６】本発明に係る実施の形態２において、ユニットハウスに対して水廻りユニットルームを設置するための方法を模式的に示した平面図
【図７】実施の形態２において、ユニットハウス２に対する側壁パネルの取り付け方法の一例を模式的に示す側面断面図
【図８】実施の形態２において、ユニットハウスに側壁パネルが取り付けられた状態を上方から見た平面断面図
【発明を実施するための形態】
【００１０】
以下、本発明の水廻りユニットルームの具体的な実施の形態としてシャワールーム、トイレルーム、洗面ルームなどの水廻り空間を備えた水廻りユニットルームについて添付の図面を参照しながら説明する。なお、本発明の水廻りユニットルームとしては、以下の実施の形態に記載した水廻り空間を備えた水廻りユニットルームの構成に限定されるものではなく、例えば、シャワールーム、トイレルーム、洗面ルーム、キッチンルームの単独の構成、若しくはこれらの組み合わせの構成、またはシャワー器具、トイレ器具、洗面器具、浴槽、キッチンなどの各種水廻り器具の少なくとも一つを含むルームが含まれる。本発明の水廻りユニットルームは、以下の実施の形態において説明する技術的特徴を有する技術的思想に基づく水廻りユニットルームの構成を含むものである。
【００１１】
また、以下の実施の形態において示す数値、形状、構成、ステップ（工程）、およびステップの順序などは、一例を示すものであり、本発明を実施の形態の内容に限定するものではない。以下の実施の形態における構成要素のうち、最上位概念を示す独立請求項に記載されていない構成要素については、任意の構成要素として説明される。なお、図面においては、理解しやすくするために、それぞれの構成要素を主体に模式的に示している。
【００１２】
先ず始めに、本発明の水廻りユニットルームおよびプレハブ構造体における各種態様を例示する。
本発明に係る第１の態様は、プレハブ構造体の内部に設けられ、水廻り空間を備えた水廻りユニットルームであって、
前記プレハブ構造体において室内と室外とを区分けする外壁面に対向して配置される前記水廻りユニットルームの側壁外面に水廻り器具からの内部配管の接続端部が前記外壁面に向かって突出するよう配設され、前記接続端部が外部配管と接続されるように前記側壁外面における所定領域に配設されている。
【００１３】
本発明に係る第２の態様の水廻りユニットルームは、前記の第１の態様の前記内部配管の前記接続端部が、前記プレハブ構造体の前記外壁面に向かって前記水廻りユニットルームの側壁外面から所定長さだけ突出するよう構成されてもよい。
【００１４】
本発明に係る第３の態様の水廻りユニットルームは、前記の第１の態様または第２の態様の前記内部配管の前記接続端部が、前記外部配管と接続するための配管継手を備えてもよい。
【００１５】
本発明に係る第４の態様の水廻りユニットルームは、前記の第１の態様または第２の態様において、複数の水廻り器具からの前記内部配管の前記接続端部のそれぞれが、同一方向に並行に突出するよう構成されてもよい。
【００１６】
本発明に係る第５の態様の水廻りユニットルームは、前記の第１の態様または第２の態様において、複数の水廻り器具からの前記内部配管の前記接続端部が、前記水廻りユニットルームの前記側壁外面において集中的に配設されている。
【００１７】
本発明に係る第６の態様の水廻りユニットルームは、前記の第１の態様または第２の態様において、前記内部配管の前記接続端部が配設された前記側壁外面の裏面側となる前記水廻りユニットルームの内面側には、水廻り器具が配設されてもよい。
【００１８】
本発明に係る第７の態様の水廻りユニットルームは、前記の第１の態様から第６の態様のいずれかの態様における前記プレハブ構造体の内面に近接して配設される水廻りユニットルームにおいて、前記プレハブ構造体の内面に近接して配置される側壁外面にスペーサが設けられてもよい。
【００１９】
本発明に係る第８の態様のプレハブ構造体は、ユニットハウスで構成され、前記ユニットハウスの内部に水廻り空間を備えた水廻りユニットルームが設けられたプレハブ構造体であって、
前記ユニットハウスにおいて室内と室外とを区分けする外壁面に対向して配置される前記水廻りユニットルームの側壁外面に水廻り器具からの内部配管の接続端部が前記外壁面に向かって突出するよう配設され、前記接続端部が外部配管と接続されるように前記側壁外面における所定領域に配設され、
前記内部配管の前記接続端部が配設された前記側壁外面の所定領域が、前記プレハブ構造体の前記外壁面に形成された開口と対向するように配置されている。
【００２０】
本発明に係る第９の態様のプレハブ構造体は、前記の第８の態様において、複数の水廻り器具からの前記内部配管の前記接続端部のそれぞれが、同一方向に平行に突出するよう構成されてもよい。
【００２１】
本発明に係る第１０の態様のプレハブ構造体は、前記の第８の態様または第９の態様において、複数の水廻り器具からの前記内部配管の前記接続端部が、前記水廻りユニットルームの前記側壁外面において集中的に配設され、前記外壁面の開口の内側となるよう配設されてもよい。
【００２２】
本発明に係る第１１の態様のプレハブ構造体は、前記の第８の態様または第９の態様における前記内部配管と前記外部配管とを接続する接続配管が貫通した前記開口において、前記接続配管により占有されない開口部分が封止部材により封止されるように構成してもよい。
【００２３】
本発明に係る第１２の態様のプレハブ構造体は、前記の第８の態様から第１１の態様のいずれかの態様において、
前記ユニットハウスの内面に近接して配設される水廻りユニットルームには、前記ユニットハウスの内面に近接して配置される側壁外面に所定隙間を形成するためのスペーサが設けられ、
前記スペーサが前記ユニットハウスの内面に当接するよう構成されてもよい。
【００２４】
（実施の形態１）
以下、本発明に係る実施の形態１の水廻りユニットルームおよびプレハブ構造体について、図面を参照しながら説明する。図１は実施の形態１の水廻りユニットルーム３が設けられているプレハブ構造体１の一例を示す斜視図である。
【００２５】
図１に示すように、プレハブ構造体１は複数のユニットハウス２を組み合わせて構成されている。図１に示すプレハブ構造体１は、並設されたユニットハウス２の上に並設されたユニットハウス２を積み重ねた２階建て構造である。各ユニットハウス２は、基本的に同様の構造を有し、各種アレンジが可能なように規格された寸法で構成されている。ユニットハウス２は、スチール製のボックスフレームにパネルが取り付けられて構成される。それぞれのパネルは、設置されるプレハブ構造体１の仕様に応じて、パネル（側壁、天井、床）、窓パネル、ドアパネルなどが予め準備されている。
【００２６】
図２は１つのユニットハウス２の内部に水廻りユニットルーム３が設置された構成を模式的に示す斜視図である。図２においては、ユニットハウス２の外形を一点鎖線で示している。ユニットハウス２の床面上には水廻りユニットルーム３が設置されている。プレハブ構造体１においては複数のユニットハウス２を並設した構造であるため、ユニットハウス２における側壁の少なくとも一面（図２においては背面）がユニットハウス２の外部との境界となる外壁面２ａとなる。ここで外壁面２ａとは、室内と室外とを区分けする側壁であり、フレームに外壁パネルが取り付けられて構成される。図２に示すユニットハウス２においては、水廻りユニットルーム３の背面が外壁面２ａに対向するように近接して配設されている。
【００２７】
図３は、実施の形態１の水廻りユニットルーム３の正面側を主として見た斜視図であり、内部構成を示すように断面図で示している。実施の形態１の水廻りユニットルーム３は、シャワールーム４およびトイレルーム５が並設された構成である。シャワールーム４とトイレルーム５との間には、開閉可能な蛇腹形式、所謂アコーディオン形式のカーテン（パーティション）２０が設けられている。図３に示すように、シャワールーム４においては、ユニットハウス２の外壁面２ａに対向する背面（側壁外面）の裏面側に水廻り器具であるシャワー器具６、水栓器具７、洗面器具８などが設けられている。また、トイレルーム５においても、ユニットハウス２の外壁面２ａに対向する背面（側壁外面）の裏面側に近接して水廻り器具であるトイレ器具９が配置されている。従って、水廻りユニットルーム３において水廻り器具からの内部配管である給水管１３、給湯管１４、排水管１５、汚水管（トイレ排水管）１６の内部配管は、水廻りユニットルーム３の背面（側壁外面）側への導出経路が全体的に短い経路となるよう配設されている。
【００２８】
なお、実施の形態１の水廻りユニットルーム３においては、図３に示したシャワールーム４とトイレルーム５とを並設した構成を例として説明するが、本発明の水廻りユニットルームとしては、シャワールーム、トイレルームの他に洗面台を備えた洗面ルーム、浴室を備えたバスルームなどの各種水廻り器具における少なくとも一つの器具を備えたルームの単独構成、または各種水廻り器具をそれぞれ備えた複数のルームの並設構成を含むものである。
【００２９】
図３に示した水廻りユニットルーム３においては、シャワールーム４にシャワー器具６、水栓器具７、洗面器具８などが設けられており、トイレルーム５にトイレ器具９およびそのトイレ器具９に付随する水タンク１７などが設けられている。また、シャワールーム４の天井には換気扇１０が設けられている。
【００３０】
図３に示した水廻りユニットルーム３は、プレハブ構造体１のユニットハウス２の床上に設置できるように、複数の支持脚１１により支持されている。水廻りユニットルーム３は支持脚１１によりユニットハウス２の床に対して固定される構造を有する。
【００３１】
水廻りユニットルーム３の床を構成する床パネル１２は、防水パンで構成されており、複数の支持脚１１によりユニットハウス２の床に対して所定空間を有して支持される。このように床パネル１２の直下には所定空間が形成されるため、この床下空間にはシャワールーム４およびトイレルーム５からの排水管１５、汚水管（トイレ排水管）１６などの配管が施設可能である。
【００３２】
[水廻りユニットルーム３の配管]
図４は、実施の形態１の水廻りユニットルーム３の背面（側壁外面）側を主として示すように、下方から見た斜視図である。図４に示すように、シャワールーム４の背面側には給水管１３、給湯管１４、および排水管１５（１５ａ、１５ｂ）などの内部配管が配設されている。実施の形態１における排水管１５には、洗面排水管１５ａと、床排水管１５ｂとを含む。洗面排水管１５ａは、シャワールーム４における洗面器具からの排水を流し、床排水管１５ｂは、シャワールーム４とトイレルーム５との共通の床パネル１２において一カ所に集められた排水を流す構造である。
【００３３】
シャワールーム４の背面（側壁外面）側の給水管１３、給湯管１４、および排水管１５（１５ａ、１５ｂ）の内部配管においては、外部配管設備からの外部配管に接続するための接続端部が一定の領域に集中するように配設されている。実施の形態１の水廻りユニットルーム３においては、給水管１３、給湯管１４、および排水管１５（１５ａ、１５ｂ）におけるそれぞれの接続端部が、シャワールーム４の背面から所定長さだけ突出するよう設けられている。それぞれの接続端部の突出端部には、外部配管設備からの外部配管に接続するための配管継手が設けられている。
【００３４】
また、水廻りユニットルーム３のトイレルーム５の背面（側壁外面）には、汚水管（トイレ排水管）１６が配設されている。この汚水管１６の接続端部は、シャワールーム４の背面側に設けた内部配管の接続端部と同様に、トイレルーム５の背面から所定長さだけ突出するよう設けられている。
【００３５】
実施の形態１の水廻りユニットルーム３においては、給水管１３、給湯管１４、排水管１５（１５ａ、１５ｂ）、および汚水管１６におけるそれぞれの接続端部が、ユニットハウス２の背面である外壁面２ａに向かって略水平に所定長さだけ突出している。接続端部が突出している所定長さとしては、例えば、水廻りユニットルーム３の背面（側壁外面）から約５０ｍｍ〜１５０ｍｍの長さである。このため、水廻りユニットルーム３は、その背面が対向するユニットハウス２の外壁面２ａに近接して配置されるが、水廻りユニットルーム３の背面から突出しているそれぞれの接続端部（継手部分）がユニットハウス２の外壁面２ａに接触しないように設置される。
【００３６】
上記のように、水廻りユニットルーム３のシャワールーム４の背面（側壁外面）には、給水管１３、給湯管１４、および排水管１５が配設されており、これらの内部配管の突出部分である接続端部が所定領域内に集中するように設けられている。また、トイレルーム５の背面の下方には、汚水管１６の接続端部（継手部分）が略水平方向に突出するように配設されている。このように接続端部が配設された側壁外面の裏側となる内面側には、水廻りユニットルーム３におけるシャワー器具６、水栓器具７、洗面器具８、トイレ器具９などの水廻り器具が配設されており、こられの水廻り器具から各接続端部までの内部配管が全体的に短くなるよう配設されている。このように、実施の形態１の水廻りユニットルーム３においては、シャワールーム４およびトイレルーム５における内部配管の全体が短くなるように構成されており、各内部配管の接続端部（突出部分）が水廻りユニットルーム３の背面下側に集中して配置されている。
【００３７】
水廻りユニットルーム３におけるそれぞれの内部配管の接続端部は、実質的に同一方向に突出するよう配設されており、それぞれの内部配管の突出端部である接続端部には外部配管と接続するための配管継手が設けられている。
【００３８】
なお、実施の形態１の構成においては、シャワールーム４の背面側に配設される内部配管の接続端部（継手部分）をシャワールーム４の背面下側に集中させ、トイレルーム５の背面側に配設される配管の接続端部（継手部分）をトイレルーム５の背面下側に設けた構成で説明するが、変形例としては、水廻りユニットルーム３における全ての内部配管の接続端部（継手部分）を背面の一カ所に集中的に配置する構成としてもよい。
【００３９】
上記のように構成された水廻りユニットルーム３が配設されるユニットハウス２の外壁面２ａにおいては、外部配管との接続のための開口（１８、１９）が形成されている。実施の形態１の構成においては第１開口１８および第２開口１９の２つの開口が形成されている（図２参照）。
【００４０】
ユニットハウス２の外壁面２ａに形成される第１開口１８は、シャワールーム４の背面下側に対向するように形成されている。第１開口１８が形成されている位置は、シャワールーム４の給水管１３、給湯管１４、および排水管１５の各内部配管の接続端部（継手部分）が集中して配設された所定領域に対向する位置である。従って、ユニットハウス２の外壁面２ａを外側から見たとき、第１開口１８を通して給水管１３、給湯管１４、および排水管１５の各内部配管の接続端部（継手部分）を確認することが可能となる。即ち、内部配管の接続端部は、水廻りユニットルーム３の側壁外面の所定領域に集中的に配設されており、ユニットハウス２の外壁面２ａの第１開口１８の内側となるよう配設されている。また、第１開口１８の大きさは、それぞれの接続端部に対して作業者が容易にアクセス可能な大きさであり、それぞれの内部配管と外部配管との接続作業を容易なものとする形状を有している。
【００４１】
また、ユニットハウス２の外壁面２ａに形成される第２開口１９は、トイレルーム５の背面下側に対向するように形成されている。第２開口１９が形成されている位置は、トイレルーム５の汚水管１６の接続端部（継手部分）が配設された領域に対向する位置である。従って、ユニットハウス２の外壁面２ａを外側から見たとき、第２開口１９を通して汚水管１６の内部配管の接続端部（継手部分）を確認することが可能となる。即ち、内部配管の接続端部は、水廻りユニットルーム３の側壁外面の所定領域に配設されており、ユニットハウス２の外壁面２ａの第２開口１９の内側となるよう配設されている。また、第２開口１９の大きさは、汚水管１６の接続端部に対して作業者が容易にアクセス可能な大きさであり、汚水管１６と外部配管との接続作業を容易なものとする形状を有している。
【００４２】
なお、前述の変形例のように、水廻りユニットルーム３における全ての配管の接続端部（継手部分）を一カ所に集中する構成とした場合には、ユニットハウス２の外壁面２ａには各内部配管の接続端部（継手部分）が集中する領域に対向して１つの開口を形成して、容易に接続作業が行えるように構成すればよい。
【００４３】
水廻りユニットルーム３の天井に換気扇１０を設けた構成においては、ユニットハウス２の外壁面２ａの上部に換気開口（第３開口）２１を形成して（図２参照）、換気ダクトにより換気扇１０と換気開口２１とを連通する構成としてもよい。
【００４４】
[ユニットハウスに対する水廻りユニットルームの設置]
図５は、複数のユニットハウス２が並設されたプレハブ構造体１において、少なくとも一つのユニットハウス２に対して、例えば、シャワールーム４を備えた水廻りユニットルーム３０を設置する場合の構成を模式的に示す平面図である。図５に示す水廻りユニットルーム３０は、ユニットハウス２における奥側の壁である外壁面２ａに近接して配設されており、外壁面２ａの一部に採光窓２ｂが設けられている。この水廻りユニットルーム３０のシャワールーム４においても、図４に示した構成と同様に、背面側に給水管１３、給湯管１４、および排水管１５の各内部配管の接続端部（継手部分）が特定の領域に集中して設けられている。
【００４５】
前述の実施の形態において説明したように、水廻りユニットルーム３０が設置されるユニットハウス２の外壁面２ａには、所定の位置に所定形状の開口が形成されている。この開口（１８、１９）を通して水廻りユニットルーム３０の給水管１３、給湯管１４、および排水管１５などの内部配管の接続端部（継手部分）と外部配管との接続作業が行われる構成である。
【００４６】
以下、工事現場などにおいて組み立てられるプレハブ構造体１に対して、水廻りユニットルーム３０を設置する場合の流れについて説明する。以下に説明する水廻りユニットルーム３０においては、プレハブ構造体１を構成する複数のユニットハウス２における特定された一つのユニットハウス２に水廻りユニットルーム３０を設ける場合である。
【００４７】
上記のように、例えば、シャワールーム４を備えた水廻りユニットルーム３０は、工場などにおいて予め組み立てられており、輸送可能に梱包されている。梱包された水廻りユニットルーム３０は、そのまま現場に輸送される。現場においては、プレハブ構造体１において水廻りユニットルーム３０を設けるべきユニットハウス２の床面の所定位置に対して、リフトおよび／またはクレーンなどの搬送手段を用いて水廻りユニットルーム３０が設置される。水廻りユニットルーム３０がユニットハウス２の床面の所定位置に設置されると、水廻りユニットルーム３０を取り囲むように、プレハブ構造体１（ユニットハウス２）における側壁、天井などを含む所定の各種パネルが取り付けられて固定される。
【００４８】
プレハブ構造体１（ユニットハウス２）に対する所定の各種パネルが取り付け固定された後、水廻りユニットルーム３０が設置されたユニットハウス２の外壁面２ａに形成されている開口（１８、１９）を通して、配管の接続作業が行われる。このとき、作業者は外壁面２ａの開口（１８、１９）を通して外部から各内部配管の接続端部（配管継手）と外部配管との接続状態を確認することが可能であるため、内部配管の接続端部と外部配管との接続作業は容易なものとなる。この接続作業においては、換気ダクトの接続および電気配線の接続なども行われる。
【００４９】
水廻りユニットルーム３０における内部配管などの接続作業が終了した後、ユニットハウス２の外壁面２ａの開口において、接続配管により占有されていない残余部分である開口部分は封止部材により封止してもよい。封止部材としては、例えば、配管以外の開口部分を膜体状のゴム部材により封止したり、開口部分に対応した形状の硬質部材（例えば、木、樹脂など）を嵌め込んだり、その隙間にシーリング材を詰めて封止したり構成としてもよい。上記のように、内部配管と外部配管とを接続する接続配管が貫通した開口において、接続配管により占有されない開口部分は、封止部材により封止された状態となる。ここで封止とは、完全な密封でなくともよく、雨、風が直接的に内部に入り込まない状態でもよい。
【００５０】
上記のように、本発明に係る実施の形態２のプレハブ構造体１のユニットハウス２に対しては、水廻りユニットルーム３が所定位置に設置された後、当該プレハブ構造体１の内部において所定のパネルが取り付けられ、器具などが設置され、所定の接続作業などが行われ、最終的に組立作業が終了する。一方、このように完成されて使用されたプレハブ構造体１は、組立作業時の流れとは反対の流れの解体作業を行い、別の現場で組み立て作業（接続作業）を行うことが可能な構成であり、容易に再使用可能な構成となる。
【００５１】
（実施の形態２）
以下、本発明に係る実施の形態２の水廻りユニットルームおよびプレハブ構造体について、図面を参照しながら説明する。実施の形態２において、前述の実施の形態１と異なる点は、ユニットハウスに対する水廻りユニットルームの設置方法であり、実施の形態２におけるプレハブ構造体、ユニットハウス、および水廻りユニットルームは、前述の実施の形態１におけるプレハブ構造体１、ユニットハウス２、および水廻りユニットルーム３、３０と同様の構造を有している。
【００５２】
実施の形態２におけるユニットハウス２に対する水廻りユニットルーム３の設置方法を用いることにより、水廻りユニットルーム３の側壁外面に配設された内部配管と、外部配管との接続が容易になると共に、内部配管からの配管が貫通するユニットハウス２の外壁面２ａの開口形状を小さくすることが可能となる。
【００５３】
なお、実施の形態２の説明において、前述の実施の形態１と同様の作用、構成、および機能を有する要素には同じ参照符号を付し、重複する記載を避けるため説明を省略する場合がある。
【００５４】
[ユニットハウスに対する水廻りユニットルームの設置]
図６の（ａ）、（ｂ）、（ｃ）は、複数のユニットハウス２が並設されたプレハブ構造体１において、少なくとも一つのユニットハウス２に対して、例えば、シャワールーム４およびトイレルーム５を備えた水廻りユニットルーム３を設置するための方法を模式的に示した平面図である。
【００５５】
図６の（ａ）は、ユニットハウス２の中央部分に水廻りユニットルーム３を仮置きした状態を示している。図６の（ａ）に示すように、ユニットハウス２に対して水廻りユニットルーム３を仮置きした最初の段階においては、水廻りユニットルーム３がユニットハウス２における側壁パネル７０（外面壁２ａを含む）が取り付けられる位置から所定の間隔Ｌ、例えば、少なくとも７００〜８００ｍｍの間隔を有する位置に仮置きされる。図６の（ａ）に示すユニットハウス２の場合においては、所定の間隔Ｌを確保するために、水廻りユニットルーム３を所定の設置位置から９０度回転された位置に仮置きした状態を示している。
【００５６】
上記のように所定の間隔Ｌを有して水廻りユニットルーム３がユニットハウス２の内部に仮置きされることにより、水廻りユニットルーム３の仮置きされた後において、ユニットハウス２の側面を構成する複数の側壁パネル７０の取付けが容易なものとなる。即ち、水廻りユニットルーム３と側壁パネル７０との間に形成された所定の隙間Ｌを有する空間に作業者が入り、側壁パネル７０の取り付け作業を容易に行うことが可能となる。
【００５７】
なお、実施の形態２のユニットハウス２においては、後述するように床パネルおよび天井パネルがフレームに取り付けられた後、水廻りユニットルーム３が床パネル上に仮置きされ、複数の側壁パネル７０が嵌め込まれてユニットハウス２が組み立てられる構成である。
【００５８】
図６の（ｂ）は、ユニットハウス２の側壁パネル７０を取り付けた後において、仮置き状態の水廻りユニットルーム３を９０度回転させて所定の設置位置と同じ向きに配置すると共に、水廻りユニットルーム３をユニットハウス２の一方の側壁パネル７０に当接するように横移動（図６の（ｂ）においては左方向への移動）させた状態を示している。水廻りユニットルーム３において、ユニットハウス２の側壁パネル７０の内面に対向し、近接して配置される側壁外面には複数のスペーサ４０が設けられている。図６の（ｂ）に示す水廻りユニットルーム３において、ドア３７が設けられている面を正面とすると、背面側と左側面側のそれぞれの側壁外面にスペーサ４０が設けられている。図６の（ｂ）に示す水廻りユニットルーム３は、ユニットハウス２における背面側の側壁パネル７０（２ａ）と左側面側の側壁パネル７０とに近接して配置される構成である。なお、実施の形態２においては側壁外面に複数のスペーサ４０を設けた構成で説明するが、側壁外面に沿って延設された１つのスペーサにより対応することも可能である。
【００５９】
上記のように、水廻りユニットルーム３における特定の側壁外面には複数のスペーサ４０が設けられているため、水廻りユニットルーム３をユニットハウス２の内部（床パネル上）で横移動（スライド）させることにより、水廻りユニットルーム３はユニットハウス２の内部の所定位置に確実に、且つ容易に配置することが可能となる。即ち、水廻りユニットルーム３を横移動させることにより、スペーサ４０が所定の側壁パネル７０の内面に当接するため、水廻りユニットルーム３がユニットハウス２の内部の所定位置に正確に配置される（図６の（ｃ）参照）。
【００６０】
図６の（ｂ）に示す状態は、前述のように、ユニットハウス２の内部において水廻りユニットルーム３を９０度回転させ、左方向に横移動させて左側面側の側壁パネル７０に当接した状態を示している。図６の（ｃ）に示す状態は、図６の（ｂ）に示す状態から、水廻りユニットルーム３をユニットハウス２の内部において背面側に横移動させて背面側の側壁パネル７０（２ａ）に当接した状態を示している。
【００６１】
実施の形態２においては、図６の（ｂ）に示す状態から図６の（ｃ）に示す状態へ水廻りユニットルーム３を横移動させているため、水廻りユニットルーム３の背面側から突設されている給水管、給湯管、排水管および汚水管などの内部配管５０が、対向するユニットハウス２の外壁面２ａに形成されたそれぞれの開口６０に対して確実に挿入される構成となる。
【００６２】
なお、実施の形態２におけるユニットハウス２に対する水廻りユニットルーム３の設置方法において、図６の（ｂ）に示す状態から図６の（ｃ）に示す状態へ水廻りユニットルーム３を横移動させるとき、水廻りユニットルーム３の背面側から突設された内部配管５０に対して、対応する開口６０に予め貫通させた接続配管を接続させておき、当該接続配管によりそれぞれの内部配管５０を対応する開口６０に導くように案内する設置方法を用いてもよい。および／または、水廻りユニットルーム３を背面側へ横移動させるとき、水廻りユニットルーム３の背面側から突設された内部配管５０および／または接続配管を作業者が支持して、対応する開口６０に内部配管５０を案内してもよい。
【００６３】
実施の形態２においては上記のように水廻りユニットルーム３がユニットハウス２の内部の所定位置に確実に配設されるため、ユニットハウス２の外壁面２ａに形成される開口６０は、水廻りユニットルーム３の背面側から突設される内部配管５０の突出位置に確実に対向する位置に配置される。即ち、水廻りユニットルーム３における内部配管５０の突設位置が予め特定されているため、ユニットハウス２の外壁面２ａに形成されて内部配管５０が挿入される開口６０の形状を、内部配管５０の外径寸法に対応した形状とすることが可能となる。この結果、開口６０の形状としては、挿入された内部配管５０との隙間を小さくすることが可能であり、隙間に対する封止部材などの装着においても容易なものとなる。
【００６４】
上記のように、実施の形態２におけるユニットハウス２に対する水廻りユニットルーム３の設置方法においては、水廻りユニットルーム３からの内部配管５０の突出端部がユニットハウス２の外壁面２ａに形成される開口６０から外側に配置された構成となる。このため、実施の形態２におけるユニットハウス２に対する水廻りユニットルーム３の設置方法を用いることにより、内部配管と外部配管との接続作業が容易になると共に、接続状態の保守および点検などの作業が容易なものとなる。
【００６５】
また、上記のように、実施の形態２の水廻りユニットルーム３においては、ユニットハウス２の側壁パネル７０の内面に対向し、近接して配置される側壁外面には、複数のスペーサ４０が設けられている。このようにスペーサ４０を設けてユニットハウス２の側壁パネル７０の内面に当接させて位置決めする構成であるため、ユニットハウス２の内部における水廻りユニットルーム３の配置を正確に行うことができる。この結果、水廻りユニットルーム３から導出する内部配管の位置を正確に特定することが可能となり、外部配管との接続をさらに容易なものとしている。
【００６６】
さらに、実施の形態２の水廻りユニットルーム３においては、上記のように位置決めのスペーサ４０が設けられているため、水廻りユニットルーム３がユニットハウス２の内部において正確に配置され、ユニットハウス２の内部において水廻りユニットルーム３の外面を形成する化粧パネル、例えばドア部材を含む化粧パネルの寸法を規定することができるため、化粧パネルを予め正確に切断して取り付けることが可能となり、歩留まりがよく、作業効率の高いものとなる。
【００６７】
また、スペーサ４０を設けて水廻りユニットルーム３とユニットハウス２との間に所定の隙間を形成することができるため、互いの振動の伝導が抑制されて、静音化を図ることができると共に、その隙間に配管などの部材の配設も可能となり、省スペース化を図ることが可能となる。
【００６８】
上記のように、実施の形態２におけるユニットハウス２に対する水廻りユニットルーム３の設置方法における最初の段階において、図６の（ａ）に示したように、水廻りユニットルーム３がユニットハウス２における側壁パネル７０（２ａ）から所定の間隔Ｌ、例えば、少なくとも７００〜８００ｍｍの間隔を有して仮置きされている。このように水廻りユニットルーム３がユニットハウス２の側壁パネル７０から所定の間隔Ｌを有しているため、側壁パネル７０の取り付け作業を容易に行うことが可能となる。作業者が行う側壁パネル７０の取り付け方法の一例を以下に説明する。
【００６９】
図７の（ａ）、（ｂ）は、ユニットハウス２において、天井パネル７１および床パネル７２が取り付けられている状態に対して、背面側の側壁パネル７０（外壁面２ａ）の取り付け方法の一例を模式的に示す側面断面図である。図７の（ａ）に示すように、先ず、背面側の側壁パネル７０の下端に形成された突起７０ａが床パネル７２に形成された凹部７２ａに挿入される。次に、側壁パネル７０がその下端を支点として立ち上げられて、側壁パネル７０の上端外面側を天井パネル７１の端部に形成されたストッパ７１ａに当接させる。このように側壁パネル７０の上端外面がストッパ７１ａに当接させることにより、ユニットハウス２における背面側の側壁パネル７０が略鉛直方向に配設された状態となる。
【００７０】
図７の（ｂ）は、ユニットハウス２において、背面側の側壁パネル７０が略鉛直方向に配設された後、側壁パネル７０と天井パネル７１との間の内側のコーナ部分にモール８０が配設されて、側壁パネル７０が天井パネル７１と床パネル７２との間に確実に固定される。
【００７１】
図８は、ユニットハウス２における複数の側壁パネル７０が取り付けられた状態を上方から見た状態を示した断面図であり、複数の側壁パネル７０がその側面部分で互いに嵌め込まれて取り付けられた状態を模式的に示している。図８に示すように、側壁パネル７０の一方の側面部分に形成された突出部分７０ｂが側壁パネル７０の他方の側面部分に形成された凹部分７０ｃに嵌め込まれて連結されて、一平面が形成される構成である。
【００７２】
ユニットハウス２のコーナ部分にはジョイントフレーム９０が配設されており、このジョイントフレーム９０において側壁パネル７０に対向する位置には凹部分９０ａが形成されている。ジョイントフレーム９０に形成された凹部分９０ａに側壁パネル７０の一方の側面部分に形成された突出部分７０ｂが嵌め込まれて、複数の側壁パネル７０によりユニットハウス２の側壁面が形成されている。
【００７３】
上記のように、天井パネル７１と床パネル７２との間に取り付けられる複数の側壁パネル７０は、側壁パネル７０の突起７０ａを床パネル７２の凹部７２ａに挿入して立ち上げた後、スライドさせて互いに嵌め込まれる構成を有している。このため、実施の形態２におけるユニットハウス２は所望の剛性を有するものとなり、信頼性の高い構造を有する。
【００７４】
上記のように、各実施の形態において具体的に説明したように、本発明における水廻りユニットルームは、予め組み立てられた状態で現場に輸送されて、プレハブ構造体（ユニットハウス）の所定位置に設置される構成であるため、水廻りユニットルームに対する現場における作業としては、基本的には配管、電気などの簡単な接続作業が主作業となる。この結果、プレハブ構造体（ユニットハウス）に設置される水廻りユニットルームは、いずれの現場においても品質の高い状態で均一化を図ることができ、信頼性の高い水廻り器具を備えるプレハブ構造体を提供することが可能となる。
【００７５】
上記のように、本発明におけるプレハブ構造体のユニットハウスに対しては、水廻りユニットルームが所定位置に設置された後、当該プレハブ構造体の内部において所定のパネルが取り付けられ、器具などが設置され、所定の接続作業などが行われて、最終的に組立作業が終了してプレハブ構造体が完成する。一方、このように完成されて使用されたプレハブ構造体は、組立作業時の流れとは反対の流れの解体作業を行い、別の現場で組み立て作業（接続作業）を行うことが可能な構成であり、容易に再使用可能な構成となる。このとき、プレハブ構造体の内部に設置された水廻りユニットルームは、配管の接続端部（配管継手）を容易に外すことが可能であり、解体されたプレハブ構造体は、水廻りユニットルームと共に別の現場に輸送されて再使用することが可能となる。
【００７６】
以上のように、本発明は、シャワールーム、トイレルーム、洗面ルームなどの水廻り空間を備えた水廻りユニットルームが、プレハブ構造体の内部において、再使用可能な構成であり、配管を容易に、且つ確実に接続することができる構成を有している。
【００７７】
本発明をある程度の詳細さをもって各実施の形態において説明したが、これらの構成は例示であり、これらの実施の形態の開示内容は構成の細部において変化してしかるべきものである。本発明においては、各実施の形態における要素の置換、組合せ、および順序の変更は請求された本発明の範囲及び思想を逸脱することなく実現し得るものである。
【産業上の利用可能性】
【００７８】
本発明の水廻りユニットルームは、水廻り空間をプレハブ構造体の内部に容易に設けることが可能となり、工事現場などにおいて作業者の環境を改善することができ、市場価値の高い製品となる。
【符号の説明】
【００７９】
１  プレハブ構造体
２  ユニットハウス
２ａ  外壁面
２ｂ  採光窓
３、３０  水廻りユニットルーム
４  シャワールーム
５  トイレルーム
６  シャワー器具
７  水栓器具
８  洗面器具
９  トイレ器具
１０  換気扇
１１  支持脚
１２  床パネル
１３  給水管
１４  給湯管
１５  排水管
１６  汚水管
１７  水タンク
１８  第１開口
１９  第２開口
２０  カーテン（パーティション）
２１  換気開口（第３開口）
４０  スペーサ
【図１】
2020165279.tif 000003
【図２】
2020165279.tif 000004
【図３】
2020165279.tif 000005
【図４】
2020165279.tif 000006
【図５】
2020165279.tif 000007
【図６】
2020165279.tif 000008
【図７】
2020165279.tif 000009
【図８】
2020165279.tif 000010